(57)【特許請求の範囲】
【請求項１】
エアー通路の途中に配設されたパウダーボックスを有し、前記エアー通路にエアーを流して前記パウダーボックス内のパウダーを該エアー通路の先端のノズルよりエアーと共に噴射して歯面を清掃する歯面清掃器において、前記パウダーボックスの頭部に設けられた挿通孔に挿脱自在に挿入連結されるパイプを底部に有する容器を具備し、該容器内に乾燥剤が収容されていることを特徴とする歯面清掃器。
【請求項２】
前記容器内の底部にフィルターを有し、該フィルターによって前記乾燥剤が前記パイプ側に流れないようにしていることを特徴とする請求項１に記載の歯面清掃器。
【請求項３】
前記容器は、乾燥剤とパウダーとを詰め替え可能であって、前記フィルターは、前記乾燥剤の通過を阻止し、前記パウダーを通過させるものであることを特徴とする請求項１又は２に記載の歯面清掃器。
【請求項４】
前記パウダーボックスの頭部に設けられた挿通孔に挿脱自在に挿入連結されるパイプを底部に有する容器を更に具備し、該容器内にパウダーが収容されていることを特徴とする請求項１に記載の歯面清掃器。
【請求項５】
前記ノズルを覆う防水性のキャップを具備したこと特徴とする請求項１乃至４のいずれかに記載の歯面清掃器。
【発明の詳細な説明】
【０００１】
【発明の属する技術分野】
本発明は、歯面清掃器、より詳細には、パウダーとエアーをミックスさせて噴射させ、パウダーを歯面に当てることにより、プラーク，ヤニ，歯石等を除去するようにした歯面清掃器における、パウダーの防湿に関する。
【０００２】
【従来の技術】
エアー中にパウダーを混入させてノズルより噴射し、そのパウダーを歯面に当てることにより、プラーク，ヤニ，歯石等を除去するようにした歯面清掃器は、既に提案されている。
【０００３】
図２は、従来の歯面清掃器の一例を説明するための要部概略構成図で、図中、１０はノズル部、２０はハンドピース部、３０はホース部で、ハンドピース部２０には、パウダー収納部２０′が設けられており、該パウダー収納部２０′には、歯面清掃に用いるパウダーが収納されているパウダーボックス２２が着脱自在に設けられている。ホース３０内には、歯面にパウダーを吹きつけるためのエアーＡを通すための管路３１と、歯面を洗浄或いはノズルの目詰りを防止するためのエアーＢを流すための管路３２と、歯面を清掃，洗浄するための水Ｃを流すための管路３３が設けられており、これら管路３１，３２，３３を流れるエアーＡ，Ｂ及び水Ｃの流通は、図示しないフットコントローラによって制御される。
【０００４】
図３は、前述のエアー回路及び水回路の動作説明をするための概略構成図で、図中、３１，３２はエアー回路、３３は水回路、３１Ａ，３２Ｂ，３３Ｃは、それぞれの回路に挿入された電磁バルブで、これら電磁バルブ３１Ａ，３２Ｂ，３３Ｃは、図示しないフットコントローラのフット操作ボタン（押しボタン１，２，３）を押すことにより、以下のように作動される。
【０００５】
歯面清掃時（押しボタン１）
フット操作ボタン（押しボタン１）を押すことにより、電磁弁３１Ａと３３Ｃが開き（３２Ｂは閉）、ノズル１０の先端からは、パウダーを混入したエアーＡと水Ｃとの混合流体が噴射（スプレー）される。
【０００６】
歯面洗浄時（押しボタン２）
歯面清掃後、他のフット操作ボタン（押しボタン２）を押すことにより、電磁弁３２Ｂと３３Ｃが開き（３１Ａは閉）、ノズルの先端からは、エアーＢと水Ｃの混合体がスプレーされる。
【０００７】
ノズル目詰り防止時（押しボタン３）
歯面洗浄後、更に他のフット操作ボタン（押しボタン３）を押すこと（或いは、前記２つのフット操作ボタンを同時に押すこと）により、電磁弁３２Ｂのみが開き（電磁弁３１Ａ，３３Ｃは閉）、ノズル先端からは、エアーＢのみが噴射され、ノズル先端に付着しているパウダーを吹き飛ばし、ノズルの目詰りを防止する。
【０００８】
【発明が解決しようとする課題】
上述のごとき従来の歯面清掃器は、パウダーボックス内にエアーを送り込み、このエアーとパウダーをミックスさせて噴射させたものであるため、エアー中の湿気により、パウダーボックス内のパウダーが湿気を帯び、使用中に、パウダーが固まってしまい、パウダーが十分に噴射されなくなり、或いは、ノズルに目詰りを生じたりしてしまう等の問題があった。
【０００９】
本発明は、上述のごとき実情に鑑みてなされたもので、歯面清掃器におけるパウダーが湿気によって固化され、パウダーの噴射が不足したり、ノズルに目詰りを生じさせたりするのを防止することを目的としてなされたものである。
【００１０】
【課題を解決するための手段】
請求項１の発明は、エアー通路の途中に配設されたパウダーボックスを有し、前記エアー通路にエアーを流して前記パウダーボックス内のパウダーを該エアー通路の先端のノズルよりエアーと共に噴射して歯面を清掃する歯面清掃器において、前記パウダーボックスの頭部に設けられた挿通孔に挿脱自在に挿入連結されるパイプを底部に有する容器を具備し、該容器内に乾燥剤が収容されていることを特徴としたものである。
【００１１】
請求項２の発明は、請求項１の発明において、前記容器内の底部にフィルターを有し、該フィルターによって前記乾燥剤が前記パイプ側に流れないようにしていることを特徴としたものである。
【００１２】
請求項３の発明は、請求項１又は２の発明において、前記容器は、乾燥剤とパウダーとを詰め替え可能であって、前記フィルターは、前記乾燥剤の通過を阻止し、前記パウダーを通過させるものであることを特徴としたものである。
【００１３】
請求項４の発明は、請求項１の発明において、前記パウダーボックスの頭部に設けられた挿通孔に挿脱自在に挿入連結されるパイプを底部に有する容器を更に具備し、該容器内にパウダーが収容されていることを特徴としたものである。
【００１４】
請求項５の発明は、請求項１乃至４のいずれかの発明において、前記ノズルを覆う防水性のキャップを具備したことを特徴としたものである。
【００１５】
【発明の実施の形態】
図１は、本発明による歯面清掃器の一実施例を説明するための全体概略構成図で、図中、２２はパウダーボックスで、該パウダーボックス２２には、前述の従来装置と同様、歯面清掃用のパウダーが収容されており、前記従来技術と同様、該パウダーボックス２２内のパウダーがエアー回路を通して送られてくるエアーと混合され、ノズル１０の先端より歯面に向けて噴射されるようになっており、送給されるエアー中に含まれる湿気等により、該パウダーが固まってパウダーの噴射が十分に出来なくなったり、ノズルに目詰りを生じる等の問題がある。
【００１６】
４０は本発明によって提案された容器で、該容器４０には、乾燥剤としての例えばシリカゲルと、パウダーとしての例えば炭酸水素ナトリウムとが、詰め替え可能に収容されるようになっている。勿論、このような容器を２つ準備し、一方にはシリカゲルを収容し、他方にはパウダーを収容しておき、これら容器を使い分けるようにしてもよい。
【００１７】
容器４０の底部にはフィルター４１が設けられており、そのメッシュは、シリカゲルは透過せず、炭酸水素ナトリウムは透過するものが選ばれている。更に、該容器４０の底部には、該容器４０内と連通するパイプ４２が設けられており、このパイプ４２がパウダーボックス２２の頭部に設けられた挿通孔２６に挿脱自在に挿入されるようになっており、更に、該挿通孔２６には逆流防止弁（図示せず）が設けられている。
【００１８】
容器４０内には、通常は、シリカゲル（乾燥剤）が収容されており、その状態で、該容器４０のパイプ４２をパウダーボックス２２の挿通孔２６に差し込むと、該パイプ４２の先端にて挿通孔２６中に設けられている逆流防止弁を押し開いて、該パイプ４２の先端がパウダーボックス２２内に挿入され、これにより、乾燥剤が収容されている容器４０内とパウダーが収容されているパウダーボックス２２内とがパイプ４２を通して連通し、これにより、パウダーボックス２２内の湿気が容器４０内の乾燥剤により吸着され、パウダーボックス２２内のパウダーが湿気により固化されるのを防止することができる。
【００１９】
パウダーボックス２２は、具体的には、透明部材で構成されており、これにより、内部のパウダー残量を目視することができ、パウダーの残量が少なくなった時は、容器４０内のシリカゲル（乾燥剤）を炭酸水素ナトリウム（歯面清掃パウダー）に入れ替え、該容器４０内のパウダーをパウダーボックス２２内に落下させる等して補充する。又は、パウダーが収容されている他の容器と交換する。なお、容器４０をパウダーボックス２２の挿通孔２６から引き抜くと、該挿通孔内の逆流防止弁が閉じるようになっているので、容器４０をパウダーボックス２２から引き抜いても、該パウダーボックス２２からパウダーが噴き出すような心配はない。
【００２０】
なお、５０は、ノズル先端を覆うキャップで、非使用時、該キャップ５０でノズル１０を覆っておくことにより、ノズル１０の先端からの湿気の侵入を防止し、これによって、パウダーボックス２２内のパウダーが固化されてしまうのを防止している。
【００２１】
【発明の効果】
以上の説明から明らかなように、本発明によると、歯面清掃器におけるパウダーが湿気によって固化してパウダーの噴出が不十分になったり、固化したパウダーによってノズルが目詰りするような心配がなくなる。
更には、パウダーの補充を簡単な操作によって、具体的には、単に容器内の収容物を取り替える（シリカゲルと炭酸水素ナトリウムとを取り替える）だけで、或いは、単に、容器をシリカゲルの入っている容器から炭酸水素ナトリウムの入っている容器に、ワンタッチで取り替えるだけで行うことができる。
【図面の簡単な説明】
【図１】本発明による歯面清掃器の一実施例を説明するための全体概略構成図である。
【図２】本発明が適用される歯面清掃器の一例を説明するための図である。
【図３】本発明が適用される歯面清掃器の一動作例を説明するための図である。
【符号の説明】
１０…ノズル部、２０…ハンドピース本体部、２２…パウダー収納ボックス、２６…挿通孔、３０…ホース部、３１，３２…エアー通路、３３…水回路、４０…容器（乾燥剤又はパウダー収納容器）、４１…フィルター、４２…連通パイプ、５０…キャップ。
【図１】
0003553036.tif 000002
【図２】
0003553036.tif 000003
【図３】
0003553036.tif 000004